(57)【要約】      （修正有）【課題】複数レート運用における再プレイを行う場合であっても、遊技客が手数料について誤認識する機会を防止しつつ、遊技媒体の貸し出しを行うこと。【解決手段】再プレイ手数料が課されない遊技媒体数を示す数である無料枠玉数を会員の識別情報および貯玉数と関連付けた貯玉情報を貸出レートごとに記憶し、会員による貯玉指示を受け付けた場合に、会員の識別情報と関連付けられた貯玉数および無料枠玉数の双方を加算更新し、会員による再プレイ指示を受け付けた場合に、会員の識別情報と関連付けられた貯玉数および無料枠玉数に基づいて再プレイに係る遊技媒体数の引き落とし処理を実行する。併せて、無料枠玉数を含む貯玉情報が更新された場合に、会員による貯玉指示あるいは再プレイ指示を受け付けて、貸出レートに対応する貯玉情報および異レートに対応する貯玉情報を報知する。【選択図】図４
2012040208.tif 000002
【特許請求の範囲】
【請求項１】
遊技店の会員が預け入れる遊技媒体数である貯遊技媒体数を貸出レートごとに管理する管理装置と、遊技機に対応して設けられ、前記会員を特定可能な識別情報が記憶された会員用記録媒体を受け付けて前記貯遊技媒体数を用いた遊技媒体の払出処理を行う各台対応装置とを含む遊技媒体管理システムであって、
前記管理装置は、
前記貯遊技媒体数と、再プレイ手数料が課されない遊技媒体数を示す数である無料枠遊技媒体数とを含む貯遊技媒体数情報を前記会員の識別情報に関連付けて記憶する貯遊技媒体数情報記憶手段
を備え、
前記各台対応装置は、
前記会員用記録媒体を受け付けて前記識別情報を取得する識別情報取得手段と、
当該識別情報に関連付けられた前記貯遊技媒体数情報を取得する貯遊技媒体数情報取得手段と、
取得された前記貯遊技媒体数情報に含まれる前記無料枠遊技媒体数に関する情報を報知するように指示する報知指示手段と
を備えたことを特徴とする遊技媒体管理システム。
【請求項２】
前記各台対応装置の前記報知指示手段は、
当該各台対応装置の所属貸出レートに対応する前記無料枠遊技媒体数に関する情報を優先的に報知するように指示することを特徴とする請求項１に記載の遊技媒体管理システム。
【請求項３】
前記各台対応装置の前記報知指示手段は、
当該各台対応装置の所属貸出レート以外の異レートに対応する前記無料枠遊技媒体数に関する情報を、前記所属貸出レートに対応する前記無料枠遊技媒体数に関する情報と区別して報知するように指示することを特徴とする請求項１に記載の遊技媒体管理システム。
【請求項４】
前記管理装置は、
前記会員による預入指示を受け付けた場合に、当該会員の前記識別情報に関連付けられた前記貯遊技媒体数および前記無料枠遊技媒体数の双方を加算更新する加算更新手段と、
前記会員による再プレイ指示を受け付けた場合に、当該会員の前記識別情報に関連付けられた前記貯遊技媒体数および前記無料枠遊技媒体数に基づいて再プレイに係る遊技媒体数の引き落とし処理を実行する引き落とし手段と
をさらに備えたことを特徴とする請求項１、２または３に記載の遊技媒体管理システム。
【請求項５】
前記報知指示手段は、
前記識別情報取得手段によって前記識別情報が取得された場合に、前記無料枠遊技媒体数に関する情報を報知するように指示することを特徴とする請求項１〜４のいずれか一つに記載の遊技媒体管理システム。
【請求項６】
前記報知指示手段は、
前記引き落とし手段によって前記無料枠遊技媒体数が更新された場合には、更新された前記無料枠遊技媒体数を報知するように指示することを特徴とする請求項４に記載の遊技媒体管理システム。
【請求項７】
前記報知指示手段は、
前記無料枠遊技媒体数が０より大きい場合には、前記再プレイ手数料が無料である旨を報知するように指示するとともに、
前記無料枠遊技媒体数が０である場合には、前記再プレイ手数料が有料である旨を報知するように指示することを特徴とする請求項１〜６のいずれか一つに記載の遊技媒体管理システム。
【請求項８】
前記報知指示手段は、
前記無料枠遊技媒体数が０より大きい場合には、前記各台対応装置が備えるランプを所定の態様で点灯または点滅させるように指示するとともに、
前記無料枠遊技媒体数が０である場合には、当該ランプを前記所定の態様とは異なる態様で点灯または点滅させるように指示することを特徴とする請求項１〜７のいずれか一つに記載の遊技媒体管理システム。
【請求項９】
前記引き落とし手段は、
前記無料枠遊技媒体数が０より大きい場合には、前記貯遊技媒体数および前記無料枠遊技媒体数の双方から前記再プレイ指示に係る遊技媒体数を引き落とすとともに、
前記無料枠遊技媒体数が０である場合には、前記貯遊技媒体数から前記再プレイ指示に係る遊技媒体数および前記再プレイ手数料に相当する遊技媒体数を引き落とすことを特徴とする請求項４に記載の遊技媒体管理システム。
【請求項１０】
前記各台対応装置の前記報知指示手段は、
当該各台対応装置の前記所属貸出レートに対応する前記貯遊技媒体数が所定値以下である場合には、前記異レートに対応する前記無料枠遊技媒体数あるいは前記貯遊技媒体数からの引き落としの可否を指示させる指示画面の生成を指示することを特徴とする請求項１〜９のいずれか一つに記載の遊技媒体管理システム。
【発明の詳細な説明】
【技術分野】
【０００１】
本発明は、複数の貸出レートによる遊技媒体の貸し出しを行う遊技媒体管理システムに関し、特に、複数レート運用における再プレイを行う場合であっても、遊技客が手数料について誤認識する機会を防止しつつ、遊技媒体の貸し出しを行うことができる遊技媒体管理システムに関する。
【背景技術】
【０００２】
従来、パチンコ店などの遊技店に設置されるパチンコ機やパチスロ機といった遊技機と併設され、紙幣や硬貨といった貨幣を受け付けてパチンコ玉やメダルなどの遊技媒体を貸し出す貸出処理機（以下、「各台対応装置」と記載する）が知られている。また、遊技機において遊技客が獲得した遊技媒体の数量を各台対応装置と接続された計数部が計数する、いわゆる各台計数方式も知られてきた。
【０００３】
かかる各台計数方式に対応した各台対応装置では、計数部に投入された遊技媒体の数量（以下、「計数値」と記載する）を計数し、ＩＣ（Integrated  Circuit）カードなどの情報記憶が可能なカードに対して計数値を関連付ける。ここで、カードに関連付けられた計数値のことを「持玉価値」と呼ぶこととする。かかるカードを用いることで、遊技客は遊技媒体を持ち歩くことなく他の遊技台で遊技を継続することができる。
【０００４】
また、遊技店の会員に対して発行される会員カードを利用すると、会員は、いわゆる「貯玉サービス」を受けることが可能となる。ここで、貯玉サービスとは、上記した持玉価値を遊技店へ預け入れ、預け入れた価値を翌日以降の来店時に使用することができるサービスのことを指す。
【０００５】
なお、持玉価値を預け入れられた遊技店側では、持玉価値を「貯玉価値」へ移行するとともに、会員によって「貯玉価値」が使用される場合には、所定の手数料を徴収することが一般的である。ここで、会員が「貯玉価値」を使用して遊技媒体を借り受けたうえで遊技する行為は「再プレイ」と、かかる再プレイの際に徴収される手数料は「再プレイ手数料」と、それぞれ呼ばれている。
【０００６】
また、遊技店は、会員への優遇措置として、１日あたりの所定の上限玉数までは再プレイ手数料を無料にするといった「手数料無料サービス」の提供も行っている（特許文献１参照）。
【０００７】
ところで、近年、遊技媒体１個あたりの単価（以下、「レート」と記載する）を、同一遊技店内において複数種類用いる運用も行われてきている。たとえば、パチンコ玉１玉を１円で貸し出す１円コーナーや４円で貸し出す４円コーナーなどを併設した運用（以下、「複数レート運用」と記載する）を行う遊技店も増加してきた。
【０００８】
このような複数レート運用を行うために、所定のレート（たとえば、１円レート）の貯玉を、異レート（たとえば、４円レート）の各台対応装置で払い出す、いわゆる「再プレイの乗り入れ」を行うことができる「遊技媒体管理システム」が提案されている。
【先行技術文献】
【特許文献】
【０００９】
【特許文献１】特開２００７−０００５２２号公報
【発明の概要】
【発明が解決しようとする課題】
【００１０】
しかしながら、上述した複数レート運用においては、遊技店は、再プレイの乗り入れを可能とするために、再プレイ手数料、手数料無料分の玉数などをレートごとに個別に設定している。このため、複数レート運用における手数料に関する情報は、単一レート運用の場合と比べて複雑化している。
【００１１】
このように、手数料に関する情報が複雑化しているにも関わらず、遊技客は、複数レート運用においても分かりやすい情報の提供を望むのが通常である。しかしながら、再プレイの乗り入れについて十分に理解できていない遊技客が手数料について誤認識する可能性が高いという問題があった。
【００１２】
また、各台計数方式に対応した各台対応装置で遊技客が獲得した持玉は、手数料無料分の貯玉数と同様の取り扱いをうけるが、かかる持玉の取り扱いを十分理解していない遊技客が、やはり手数料について誤認識する可能性が高いという問題があった。
【００１３】
これらのことから、複数レート運用における再プレイを行う場合であっても、遊技客が手数料について誤認識する機会を防止しつつ、遊技媒体の貸し出しを行うことができる遊技媒体管理システムをいかにして実現するかが大きな課題となっている。
【００１４】
本発明は、上述した従来技術による問題点を解消するためになされたものであって、複数レート運用における再プレイを行う場合であっても、遊技客が手数料について誤認識する機会を防止しつつ、遊技媒体の貸し出しを行うことができる遊技媒体管理システムを提供することを目的とする。
【課題を解決するための手段】
【００１５】
上述した課題を解決し、目的を達成するため、本発明は、遊技店の会員が預け入れる遊技媒体数である貯遊技媒体数を貸出レートごとに管理する管理装置と、遊技機に対応して設けられ、前記会員を特定可能な識別情報が記憶された会員用記録媒体を受け付けて前記貯遊技媒体数を用いた遊技媒体の払出処理を行う各台対応装置とを含む遊技媒体管理システムであって、前記管理装置は、前記貯遊技媒体数と、再プレイ手数料が課されない遊技媒体数を示す数である無料枠遊技媒体数とを含む貯遊技媒体数情報を前記会員の識別情報に関連付けて記憶する貯遊技媒体数情報記憶手段を備え、前記各台対応装置は、前記会員用記録媒体を受け付けて前記識別情報を取得する識別情報取得手段と、当該識別情報に関連付けられた前記貯遊技媒体数情報を取得する貯遊技媒体数情報取得手段と、取得された前記貯遊技媒体数情報に含まれる前記無料枠遊技媒体数に関する情報を報知するように指示する報知指示手段とを備えたことを特徴とする。
【００１６】
また、本発明は、上記の発明において、前記各台対応装置の前記報知指示手段は、当該各台対応装置の所属貸出レートに対応する前記無料枠遊技媒体数に関する情報を優先的に報知するように指示することを特徴とする。
【００１７】
また、本発明は、上記の発明において、前記各台対応装置の前記報知指示手段は、当該各台対応装置の所属貸出レート以外の異レートに対応する前記無料枠遊技媒体数に関する情報を、前記所属貸出レートに対応する前記無料枠遊技媒体数に関する情報と区別して報知するように指示することを特徴とする。
【００１８】
また、本発明は、上記の発明において、前記管理装置は、前記会員による預入指示を受け付けた場合に、当該会員の前記識別情報に関連付けられた前記貯遊技媒体数および前記無料枠遊技媒体数の双方を加算更新する加算更新手段と、前記会員による再プレイ指示を受け付けた場合に、当該会員の前記識別情報に関連付けられた前記貯遊技媒体数および前記無料枠遊技媒体数に基づいて再プレイに係る遊技媒体数の引き落とし処理を実行する引き落とし手段とをさらに備えたことを特徴とする。
【００１９】
また、本発明は、上記の発明において、前記報知指示手段は、前記識別情報取得手段によって前記識別情報が取得された場合に、前記無料枠遊技媒体数に関する情報を報知するように指示することを特徴とする。
【００２０】
また、本発明は、上記の発明において、前記報知指示手段は、前記引き落とし手段によって前記無料枠遊技媒体数が更新された場合には、更新された前記無料枠遊技媒体数を報知するように指示することを特徴とする。
【００２１】
また、本発明は、上記の発明において、前記報知指示手段は、前記無料枠遊技媒体数が０より大きい場合には、前記再プレイ手数料が無料である旨を報知するように指示するとともに、前記無料枠遊技媒体数が０である場合には、前記再プレイ手数料が有料である旨を報知するように指示することを特徴とする。
【００２２】
また、本発明は、上記の発明において、前記報知指示手段は、前記無料枠遊技媒体数が０より大きい場合には、前記各台対応装置が備えるランプを所定の態様で点灯または点滅させるように指示するとともに、前記無料枠遊技媒体数が０である場合には、当該ランプを前記所定の態様とは異なる態様で点灯または点滅させるように指示することを特徴とする。
【００２３】
また、本発明は、上記の発明において、前記引き落とし手段は、前記無料枠遊技媒体数が０より大きい場合には、前記貯遊技媒体数および前記無料枠遊技媒体数の双方から前記再プレイ指示に係る遊技媒体数を引き落とすとともに、前記無料枠遊技媒体数が０である場合には、前記貯遊技媒体数から前記再プレイ指示に係る遊技媒体数および前記再プレイ手数料に相当する遊技媒体数を引き落とすことを特徴とする。
【００２４】
また、本発明は、上記の発明において、前記各台対応装置の前記報知指示手段は、当該各台対応装置の前記所属貸出レートに対応する前記貯遊技媒体数が所定値以下である場合には、前記異レートに対応する前記無料枠遊技媒体数あるいは前記貯遊技媒体数からの引き落としの可否を指示させる指示画面の生成を指示することを特徴とする。
【発明の効果】
【００２５】
本発明によれば、管理装置が、貯遊技媒体数と、再プレイ手数料が課されない遊技媒体数を示す数である無料枠遊技媒体数とを含む貯遊技媒体数情報を会員の識別情報に関連付けて記憶し、各台対応装置が、会員用記録媒体を受け付けて識別情報を取得し、かかる識別情報に関連付けられた貯遊技媒体数情報を取得し、取得された貯遊技媒体数情報に含まれる無料枠遊技媒体数に関する情報を報知するように指示することとしたので、遊技客が手数料について誤認識する機会を防止しつつ、遊技媒体の貸し出しを行うことができるという効果を奏する。
【００２６】
また、本発明によれば、各台対応装置の所属貸出レートに対応する無料枠遊技媒体数に関する情報を優先的に報知するように指示することとしたので、遊技客が所属貸出レートにおける無料枠遊技媒体数に関する情報を把握することができ、遊技客が手数料について誤認識する機会を減らすことができるという効果を奏する。
【００２７】
また、本発明によれば、各台対応装置の所属貸出レート以外の異レートに対応する無料枠遊技媒体数に関する情報を、所属貸出レートに対応する無料枠遊技媒体数に関する情報と区別して報知するように指示することとしたので、遊技客が無料枠遊技媒体数に関する情報を貸出レートごとに個別に把握することができ、遊技客が手数料について誤認識する機会を減らすことができるという効果を奏する。
【００２８】
また、本発明によれば、管理装置は、会員による預入指示を受け付けた場合に、かかる会員の識別情報に関連付けられた貯遊技媒体数および無料枠遊技媒体数の双方を加算更新し、会員による再プレイ指示を受け付けた場合に、かかる会員の識別情報に関連付けられた貯遊技媒体数および無料枠遊技媒体数に基づいて再プレイに係る遊技媒体数の引き落とし処理を実行することとしたので、遊技店は、手数料無料サービスと当日貯玉サービスとの併用を、既存の貯遊技媒体数項目および無料枠遊技媒体数項目を利用して容易に行うことができるという効果を奏する。
【００２９】
また、本発明によれば、識別情報が取得された場合に、無料枠遊技媒体数に関する情報を報知するように指示することとしたので、遊技客が、再プレイ開始時における無料枠遊技媒体数を正確に把握することができ、遊技客が手数料について誤認識する機会を減らすことができるという効果を奏する。
【００３０】
また、本発明によれば、引き落としによって無料枠遊技媒体数が更新された場合には、更新された無料枠遊技媒体数を報知するように指示することとしたので、再プレイ中においても遊技客が無料枠玉数を逐次把握することができ、遊技客が再プレイ中の手数料について誤認識する機会を減らすことができるという効果を奏する。
【００３１】
また、本発明によれば、無料枠遊技媒体数が０より大きい場合には、再プレイ手数料が無料である旨を報知するように指示するとともに、無料枠遊技媒体数が０である場合には、前記再プレイ手数料が有料である旨を報知するように指示することとしたので、再プレイ中において、遊技客は、再プレイ手数料が課されているか否かについて正確に把握することができるという効果を奏する。
【００３２】
また、本発明によれば、無料枠遊技媒体数が０より大きい場合には、各台対応装置が備えるランプを所定の態様で点灯または点滅させるように指示するとともに、無料枠遊技媒体数が０である場合には、ランプを所定の態様とは異なる態様で点灯または点滅させるように指示することとしたので、遊技客が、表示部を見ていなくても手数料が課されているか否かについて把握することができるという効果を奏する。また、遊技客だけでなく、周囲の店員もまた、かかる状況を把握することができるという効果を奏する。
【００３３】
また、本発明によれば、無料枠遊技媒体数が０より大きい場合には、貯遊技媒体数および無料枠遊技媒体数の双方から再プレイ指示に係る遊技媒体数を引き落とすとともに、無料枠遊技媒体数が０である場合には、貯遊技媒体数から再プレイ指示に係る遊技媒体数および再プレイ手数料に相当する遊技媒体数を引き落とすこととしたので、遊技店は、手数料無料サービスと当日貯玉サービスとの併用を、既存の貯遊技媒体数項目および無料枠遊技媒体数項目を利用して容易に行うことができるという効果を奏する。
【００３４】
また、本発明によれば、各台対応装置の所属貸出レートに対応する貯遊技媒体数が所定値以下である場合には、異レートに対応する無料枠遊技媒体数あるいは貯遊技媒体数からの引き落としの可否を指示させる指示画面の生成を指示することとしたので、遊技客は、所属貸出レートの貯遊技媒体数が少なくなった場合であっても、異レートの無料枠遊技媒体数あるいは貯遊技媒体数を利用して遊技を継続することができるという効果を奏する。また、遊技店は、所属貸出レートに対応する貯遊技媒体を優先的に遊技客に利用させることができるという効果を奏する。
【図面の簡単な説明】
【００３５】
【図１】図１は、本発明に係る遊技媒体管理手法の概要を示す図である。
【図２】図２は、本実施例に係る遊技媒体貸出装置および管理装置が接続されるネットワーク環境を示す図である。
【図３】図３は、遊技媒体貸出装置の外観図である。
【図４】図４は、遊技媒体貸出装置および管理装置の構成を示すブロック図である。
【図５】図５は、加算更新処理および無料枠初期化処理の動作例を示す図である。
【図６】図６は、引き落とし処理の動作例を示す図である。
【図７】図７は、引き落とし処理の表示例を示す図である。
【図８】図８は、無料枠玉数に対する遊技媒体数の加算率の一例を示す図である。
【図９】図９は、異レート間加算処理の動作例を示す図である。
【図１０】図１０は、異レート間配分処理の動作例を示す図である。
【図１１】図１１は、共通無料枠を用いた場合の動作例を示す図である。
【図１２】図１２は、本実施例に係る管理装置が実行する処理手順を示すフローチャートである。
【発明を実施するための形態】
【００３６】
以下に、添付図面を参照して、本発明に係る遊技媒体管理システムの好適な実施例を詳細に説明する。なお、以下では、本発明に係る遊技媒体管理手法の概要について図１を用いて説明した後に、本発明に係る遊技媒体管理手法を適用した遊技媒体管理システムについての実施例を図２〜図１２を用いて説明することとする。
【００３７】
また、以下では、遊技媒体を貸し出す貸出処理機を「遊技媒体貸出装置」と記載するものとし、上述の各台対応装置はかかる「遊技媒体貸出装置」に含まれるものとする。また、「遊技媒体貸出装置」は、遊技島の島端に設置される再プレイ機も含むものとする。なお、各台対応装置については、以下、「台間装置」と呼ぶこととする。
【００３８】
また、以下では、遊技台がパチンコ機であり、遊技媒体がパチンコ玉である場合について説明する。また、以下では、４円レートおよび１円レートの２レート運用を例に挙げて説明を行うが、３レート以上の運用に対しても本発明を適用することができる。
【００３９】
まず、実施例の詳細な説明に先立って、本発明に係る遊技媒体管理手法の概要について、図１を用いて説明する。図１は、本発明に係る遊技媒体管理手法の概要を示す図である。
【００４０】
図１に示すように、本発明に係る遊技媒体管理手法は、複数レート運用において遊技客が遊技中の遊技台や台間装置が属する貸出レート（自レート）に関する情報だけでなく、かかるレートとは異なる貸出レート（他レート）に関する情報も併せて幅広く明示することとした点に主たる特徴がある。
【００４１】
たとえば、複数レート運用における再プレイを行う場合に、レートごとの貯玉数と手数料無料分の玉数とを遊技媒体貸出装置の表示部などに明示することができる。
【００４２】
また、遊技客が再プレイを進めるにつれて、再プレイ中のレートにおける手数料無料分の玉数が「０」となった場合に、異なるレートにおける手数料無料分の遊技媒体の使用を選択可能とした点にも特徴がある。これらの特徴について、以下、具体的に説明する。
【００４３】
なお、以下の説明においては、「手数料無料分の遊技媒体」を「無料枠」と記載することとし、併せて「手数料無料分の遊技媒体数」を「無料枠玉数」と記載することとする。
【００４４】
同図の（１）に示すように、複数レート運用においては、会員の貯玉を管理する貯玉情報には、レート別の「貯玉数」項目および「無料枠玉数」項目が含まれる。ここで、「貯玉数」項目は会員が遊技店へ預け入れた貯玉数が格納される項目であり、「無料枠玉数」項目は、貯玉数のうちで再プレイ手数料が課されない玉数が格納される項目である。なお、「無料枠玉数」項目には、遊技店の開店前に、手数料無料サービス分にあたる固定値が格納される。
【００４５】
たとえば、同図の（１）には、遊技店の開店前に、１円レートの「１円口座」へ「４０００」玉の貯玉数および「２０００」玉の無料枠玉数が格納され、また、４円レートの「４円口座」へ「１０００」玉の貯玉数および「２５０」玉の無料枠玉数が格納されている、ある会員の貯玉情報を示している。
【００４６】
そして、同図の（２）に示すように、開店後、かかる会員が４円コーナーで当日獲得した持玉１０００玉の貯玉指示を行ったものとする。かかる場合、貯玉指示に含まれる遊技媒体数（ここでは、１０００玉）は、４円レートに対応する「４円口座」の「貯玉数」項目および「無料枠玉数」項目の双方へ加算される（同図の（２）参照）。
【００４７】
ここで、同図の（２）に示すように、本発明に係る遊技媒体管理手法では、かかる加算を行った後の「貯玉数」および「無料枠玉数」を台間装置の操作・表示部５４ａなどに明示することとした。すなわち、従来分かりづらかった「持玉」と「無料枠玉数」とを統合してひとつの「無料枠玉数」として明示することで、手数料について遊技客が誤認識する機会を減らすこととした。
【００４８】
また、「貯玉数」および「無料枠玉数」を併せて明示することで、「貯玉数」のうちのどれだけが「無料枠玉数」であるかを遊技客は明確に把握することができるので、やはり手数料について遊技客が誤認識する機会を減らすことができる。なお、かかる加算処理時の表示例の詳細については、図５を用いて後述する。
【００４９】
そして、同図の（３）に示すように、かかる会員が４円コーナーで２５０玉の再プレイ指示を行ったものとする。かかる場合、再プレイ指示に含まれる遊技媒体数（ここでは、２５０玉）は、４円レートに対応する「４円口座」の「貯玉数」項目および「無料枠玉数」項目の双方から引き落とされる（同図の（３）参照）。
【００５０】
ここで、同図の（３）に示すように、本発明に係る遊技媒体管理手法では、かかる引き落としごとの「貯玉数」および「無料枠玉数」を操作・表示部５４ａなどに明示することとした。また、複数レート運用における再プレイを考慮して、再プレイ中のレートとは異なるレートの「貯玉数」および「無料枠玉数」を併せて明示することとした。
【００５１】
すなわち、レートごとの「貯玉数」および「無料枠玉数」を明確に報知することで、遊技客が複数レート運用における手数料について誤認識する機会を減らすことができる。また、遊技客が、レートごとの「貯玉数」および「無料枠玉数」を把握しやすくできるので、たとえば、遊技客の「再プレイの乗り入れ」への抵抗感を減らすことができる。なお、かかる引き落とし処理時の表示例の詳細については、図７を用いて後述する。
【００５２】
そして、同図の（４）に示すように、さらに４円コーナーで１０００玉の再プレイ指示が行われ、「４円口座」の「無料枠玉数」が「０」となったものとする（同図の（４）の斜線部分を参照）。
【００５３】
ここで、同図の（４）に示すように、本発明に係る遊技媒体管理手法では、再プレイ中のレートとは異なるレートの無料枠の使用可否を選択できる選択画面を操作・表示部５４ａなどへ表示することとした。
【００５４】
そして、同図の（４）に示すように、会員が無料枠の使用を許可する「はい」ボタンを押下する操作を行った場合、同図の（５）に示すように、４円コーナーで２５０玉の再プレイ指示を行ったならば、再プレイ指示に含まれる遊技媒体数（ここでは、２５０玉）を異レートである「１円口座」の「無料枠玉数」項目から引き落とすこととした（同図の（５）の斜線部分を参照）。
【００５５】
すなわち、「無料枠の乗り入れ」ともいえる「再プレイの乗り入れ」に似た貸し出しを行うことができるので、遊技客の「再プレイの乗り入れ」への抵抗感を減らし、遊技店は、再プレイの増加による稼働率の向上を図ることができる。なお、「いいえ」ボタンを押下する操作を含めた異レートの無料枠の使用に関する詳細については、図６および図７を用いて後述する。また、かかる異レートの無料枠を使用しない運用とすることとしてもよい。この点の詳細についても、図６および図７を用いて後述する。
【００５６】
このように、本発明に係る遊技媒体管理手法では、複数レート運用における再プレイを行う場合に、レートごとの貯玉数と無料枠玉数とを遊技媒体貸出装置の表示部などに逐次明示することとしたうえで、再プレイ中のレートにおける無料枠玉数が「０」となった場合には、異なるレートにおける無料枠の使用可否を選択可能とした。
【００５７】
したがって、複数レート運用における再プレイを行う場合であっても、遊技客が手数料について誤認識する機会を防止しつつ、遊技媒体の貸し出しを行うことができる。また、遊技客の再プレイの乗り入れに関する抵抗感を減らし、遊技店は、再プレイの増加による稼働率の向上を図ることができる。
【００５８】
なお、図１を用いた説明では、主に再プレイについてレートごとの情報を明示する場合について説明したが、再プレイ以外の別の機会についても本発明を適用することとしてもよい。たとえば、貯玉結果の表示や、精算機、カード処理機、情報端末などにおける情報表示についても、複数のレートごとに幅広く情報の提供を行うことができる。
【００５９】
以下では、図１を用いて説明した遊技媒体管理手法を適用した遊技媒体管理システムについての実施例を詳細に説明する。
【実施例】
【００６０】
まず、本実施例に係る遊技媒体貸出装置および管理装置が接続されるネットワーク環境について図２を用いて説明する。図２は、本実施例に係る遊技媒体貸出装置および管理装置が接続されるネットワーク環境を示す図である。
【００６１】
同図に示すように、遊技台１００ごとに併設される台間装置１０ａおよび遊技島ごとに設置される再プレイ機１０ｂは、店舗内ＬＡＮ（Local  Area  Network）２０などのネットワーク経由で、管理装置２００、島コントローラ３００、精算機４００、景品管理機５００、カード処理機６００、景品払出機７００といった各装置と接続されている。
【００６２】
ここで、島コントローラ３００は、台間装置１０ａおよび再プレイ機１０ｂが設置される遊技島ごとに設けられる中継装置であり、たとえば、管理装置２００／台間装置１０ａ間あるいは管理装置２００／再プレイ機１０ｂ間などの通信データを中継する。
【００６３】
また、同図に示すように、遊技台１００、台間装置１０ａ、再プレイ機１０ｂといった遊技島を構成する各装置には、遊技島ごとの所定の貸出レートが設定される。すなわち、同図に示す４円コーナー３００ａを構成する台間装置１０ａ、再プレイ機１０ｂといった各装置には１玉４円の貸出レートが、また、１円コーナー３００ｂを構成する各装置には１玉１円の貸出レートが、それぞれ設定される。
【００６４】
また、同図に示すように、管理装置２００は、会員の貯玉を管理するデータベース（以下、「ＤＢ」と記載する）である貯玉ＤＢ２１０を有している。そして、貯玉ＤＢ２１０は、４円貯玉ＤＢ２１０ａ、１円貯玉ＤＢ２１０ｂといった、会員が遊技を行った遊技島の貸出レートごとの貯玉ＤＢによって構成される。なお、貸出レートごとの貯玉ＤＢを、単一の貯玉ＤＢ２１０のレコード項目として構成することとしてもよい。
【００６５】
また、精算機４００は、遊技店の会員に対して配布される会員カードや、非会員の遊技客が利用する一般カードに対応付けられたプリペイド残額に応じた貨幣を払い出す装置である。また、景品管理機５００、カード処理機６００、景品払出機７００といった各装置は、会員の入会手続きや景品交換などを受け付ける店内カウンタなどに配置される。
【００６６】
次に、図２に示した遊技媒体貸出装置である台間装置１０ａおよび再プレイ機１０ｂについて、さらに詳細に説明する。図３は、遊技媒体貸出装置の外観図である。なお、同図では、遊技媒体貸出装置の特徴を説明するために必要な構成のみを示しており、装置の外観や構成部品の形状などを限定するものではない。
【００６７】
また、同図の（Ａ）には、台間装置１０ａの外観図を、同図の（Ｂ）には、再プレイ機１０ｂの外観図を、それぞれ示している。なお、同図の（Ａ）には、台間装置１０ａが併設された遊技台１００を破線で示している。
【００６８】
図３の（Ａ）に示すように、台間装置１０ａは、台間装置１０ａの装置状態を所定色のランプの点灯あるいは点滅で表示する状態表示部５１ａと、遊技媒体貸し出しのための各種紙幣を受け付ける紙幣挿入部５２ａと、遊技店の従業員が携帯するリモコン（携帯端末装置）からの指示を受け付けるリモコン受光部５３ａとを備えている。また、台間装置１０ａは、ディスプレイなどの表示部、テンキー、情報ボタンおよび再プレイボタンといった操作部を含んだ操作・表示部５４ａとを備えている。
【００６９】
また、台間装置１０ａは、パチンコ玉などの遊技媒体を払い出すノズルを備えた払出部５５ａと、携帯電話などの携帯端末装置とのデータ送受信を行うリーダライタ部５６ａとを備えている。なお、払出部５５ａについては、ノズルを備えないタイプのものを備えることとしてもよい。また、リーダライタ部５６ａ／携帯端末装置間の通信手段は特に限定する必要はなく、たとえば非接触ＩＣチップを用いることとしてもよいし、赤外線通信を用いることとしてもよい。
【００７０】
さらに、台間装置１０ａは、会員カードなどのカード状記録媒体を受け付けるとともに、貯玉などが関連付けられたカード状記録媒体の返却口でもあるカード挿入部５７ａと、遊技客の獲得した遊技媒体である持玉を計数する計数部５８ａとを備えている。
【００７１】
なお、図３の（Ａ）では、玉貸機能と各台計数機能（計数部５８ａ）とを兼ね備える台間装置１０ａについて示しているが、玉貸機能を有する第１の台間装置（ＣＲユニット）と、各台計数機能を有する第２の台間装置（計数サンド）とを併設するシステム（ダブルサンド方式）を採用してもよい。
【００７２】
また、図３の（Ｂ）に示すように、再プレイ機１０ｂは、会員カードなどのカード状記録媒体を受け付けるとともに、貯玉などが関連付けられたカード状記録媒体の返却口でもあるカード挿入部５７ｂと、ディスプレイなどの表示部、テンキー、情報ボタンおよび再プレイボタンといった操作部を含んだ操作・表示部５４ｂと、携帯電話などの携帯端末装置とのデータ送受信を行うリーダライタ部５６ｂとを備えている。また、再プレイ機１０ｂは、パチンコ玉などの遊技媒体を払い出す払出部５５ｂと、払い出された遊技媒体の収納箱の受け台５９ｂとを備えている。
【００７３】
ここで、図３の（Ａ）に示した操作・表示部５４ａおよび同図の（Ｂ）に示した操作・表示部５４ｂについては、構成部品を限定する必要はない。したがって、指やポインティングデバイスなどの押圧感知により入力を受け付け、かつ表示出力も兼ねるタッチパネル式の液晶ディスプレイなどを用いることとしてもよい。また、簡素な表示出力を行う７セグメントＬＥＤなどを表示部品として用いることとしてもよい。
【００７４】
なお、本実施例においては、上述したタッチパネル式の液晶ディスプレイを用いて、複数レート運用における再プレイに必要な表示や指示入力を行う場合について説明することとする。
【００７５】
次に、本実施例に係る遊技媒体貸出装置１０および管理装置２００の構成について図４を用いて説明する。図４は、遊技媒体貸出装置１０および管理装置２００の構成を示すブロック図である。なお、同図には、遊技媒体貸出装置１０および管理装置２００の特徴を説明するために必要な構成要素のみを示しており、一般的な構成要素についての記載を省略している。
【００７６】
まず、遊技媒体貸出装置１０の構成について説明する。同図に示すように、遊技媒体貸出装置１０は、通信インタフェース１１と、計数部１２と、操作・表示部１３と、制御部１４と、記憶部１５とを備えている。また、制御部１４は、貯玉指示部１４ａと、再プレイ指示部１４ｂと、表示処理部１４ｃとをさらに備えている。また、記憶部１５は、持玉価値１５ａを記憶する。
【００７７】
通信インタフェース１１は、ＬＡＮ（Local  Area  Network）ボードなどの通信デバイスで構成され、図２に示した店舗内ＬＡＮ２０などのネットワーク経由で、管理装置２００とのデータ送受信を行う。
【００７８】
計数部１２は、遊技媒体を計数するデバイスであり、計数センサを備える計数部５８ａ（図３）と、玉貯留部（図示せず）に貯留された遊技媒体を計数センサへと導く経路とから構成される。また、計数部１２は、計数した計数値を持玉価値１５ａとして記憶部１５へ記憶させる。なお、持玉価値１５ａは、かかる計数値が加算されるたびに併せて加算され、遊技客が持玉を用いた払い出しを行うたびに併せて減算されるものとする。
【００７９】
操作・表示部１３は、遊技媒体貸出装置１０に対する操作を受け付けるボタンなどの入力デバイスと、各種情報を表示するディスプレイなどの出力デバイスとから構成される。なお、本実施例においては、操作・表示部１３がタッチパネル式の液晶ディスプレイを含んでおり、無料枠玉数に関する表示やガイダンスメッセージの表示などを行うものとする。また、操作・表示部１３は、遊技客が貯玉指示を行う際に操作する貯玉ボタン（図示せず）あるいは再プレイ指示を行う際に押下する再プレイボタン（図示せず）などを含むものとする。
【００８０】
ここで、操作・表示部１３は、たとえば、遊技客が行う貯玉指示や、再プレイ指示といった指示入力操作を受け付け、受け付けた指示内容を貯玉指示部１４ａあるいは再プレイ指示部１４ｂに対して通知する。また、表示処理部１４ｃから通知された表示内容を、出力デバイスに対して出力する。
【００８１】
制御部１４は、持玉価値を貯玉として預け入れる貯玉指示を出力する貯玉指示処理や、貯玉を引き落として遊技に用いる再プレイ指示を出力する再プレイ指示処理、操作・表示部１３に対する表示処理といった処理を行う処理部である。
【００８２】
貯玉指示部１４ａは、遊技客が操作・表示部１３に含まれる貯玉ボタン（図示せず）を押下した場合に、管理装置２００の加算更新部２０２ａへ貯玉指示を出力する処理を行う処理部である。なお、かかる貯玉指示には、持玉価値１５ａに登録された遊技媒体数や、遊技媒体貸出装置１０の所属貸出レートを含む装置情報、遊技客の識別情報であるカードＩＤあるいは携帯ＩＤなどを含むものとする。
【００８３】
再プレイ指示部１４ｂは、遊技客が操作・表示部１３に含まれる再プレイボタン（図示せず）を押下した場合に、管理装置２００の引き落とし部２０２ｂへ再プレイ指示を出力する処理を行う処理部である。なお、かかる再プレイ指示には、再プレイに係る遊技媒体数（以下、「再プレイ媒体数」と記載する）や、装置情報、遊技客の識別情報などが含まれるものとする。
【００８４】
表示処理部１４ｃは、管理装置２００の表示指示部２０２ｃが出力した表示指示を受け付け、かかる表示指示に基づいて無料枠玉数に関する情報などを、操作・表示部１３の表示部品へ表示する処理を行う処理部である。
【００８５】
また、表示処理部１４ｃは、遊技客の識別情報に基づいて取得されたかかる遊技客の無料枠玉数に関する情報などを、操作・表示部１３の表示部品へ表示する処理を併せて行う。なお、遊技客の識別情報とは、カード会員のカードＩＤあるいは携帯会員の携帯ＩＤに相当し、カード会員の場合には、カード挿入部５７ａあるいは５７ｂ（図３参照）において会員カードの挿入を受け付けた際に、また、携帯会員の場合には、リーダライタ部５６ａあるいは５６ｂ（図３参照）において携帯ＩＤを読み取った際に、それぞれ取得される。
【００８６】
記憶部１５は、ハードディスクドライブや不揮発性メモリといった記憶デバイスで構成される記憶部であり、持玉価値１５ａを記憶する。持玉価値１５ａは、遊技媒体が遊技台１００の入賞口へ入ることで払い出される持玉の数量であり、計数部１２によって登録される。
【００８７】
つづいて、管理装置２００の構成について説明する。図４に示すように、管理装置２００は、通信インタフェース２０１と、制御部２０２と、記憶部２０３とを備えている。また、制御部２０２は、加算更新部２０２ａと、引き落とし部２０２ｂと、表示指示部２０２ｃと、無料枠初期化部２０２ｄとをさらに備えている。また、記憶部２０３は、貯玉情報２０３ａを記憶する。
【００８８】
通信インタフェース２０１は、ＬＡＮ（Local  Area  Network）ボードなどの通信デバイスで構成され、図２に示した店舗内ＬＡＮ２０などのネットワーク経由で、遊技媒体貸出装置１０とのデータ送受信を行う。
【００８９】
制御部２０２は、貯玉情報２０３ａに含まれる貯玉数や無料枠玉数に対する加算更新処理や引き落とし処理、無料枠玉数に関する情報の表示指示、無料枠玉数の初期化処理といった処理を行う処理部である。
【００９０】
加算更新部２０２ａは、台間装置１０ａから貯玉指示を受け付けた場合に、貯玉数および無料枠玉数の双方を加算更新する処理を行う処理部である。
【００９１】
具体的には、加算更新部２０２ａは、貯玉指示を受け取ると、受け取った貯玉指示から装置情報、カードＩＤおよび遊技媒体数を取り出す。そして、加算更新部２０２ａは、取り出したカードＩＤと関連付けられた貯玉数および無料枠玉数の双方に対して、貯玉指示から取り出した遊技媒体数を加算する。
【００９２】
また、加算更新部２０２ａは、加算更新処理を行った場合に、更新後の貯玉数および無料枠玉数を表示指示部２０２ｃへ出力する処理を併せて行う。なお、加算更新部２０２ａの具体的な動作例については、図５を用いて後述することとする。
【００９３】
引き落とし部２０２ｂは、台間装置１０ａあるいは再プレイ機１０ｂから再プレイ指示を受け付けた場合に、再プレイ指示から装置情報およびカードＩＤを取り出す。そして、引き落とし部２０２ｂは、取り出したカードＩＤと関連付けられた貯玉数および無料枠玉数に基づいて再プレイに係る遊技媒体の引き落とし処理を実行する処理部である。
【００９４】
また、引き落とし部２０２ｂは、引き落とし処理を行った場合に、再プレイ指示から取り出した装置情報および無料枠玉数の残数などを表示指示部２０２ｃへ出力する処理を併せて行う。なお、引き落とし部２０２ｂの具体的な動作例については、図６および図７を用いて後述することとする。
【００９５】
表示指示部２０２ｃは、加算更新部２０２ａによる加算更新処理が行われた場合、または、引き落とし部２０２ｂによる引き落とし処理が行われた場合に、台間装置１０ａあるいは再プレイ機１０ｂに対して無料枠玉数に関する情報を表示するように指示する処理部である。
【００９６】
無料枠初期化部２０２ｄは、所定のタイミングが到来した場合に、貯玉情報２０３ａに含まれる無料枠玉数を固定値へ戻す初期化処理を実行する処理部である。かかる無料枠初期化部２０２ｄの具体的な動作例についても図５を用いて後述する。
【００９７】
記憶部２０３は、ハードディスクドライブや不揮発性メモリといった記憶デバイスで構成される記憶部であり、貯玉情報２０３ａを記憶する。貯玉情報２０３ａは、遊技客が有する貸出レートごとの貯玉に関する情報であり、貯玉数や無料枠玉数などを含む。
【００９８】
ここで、加算更新部２０２ａによる加算更新処理および無料枠初期化処理部２０２ｄによる無料枠初期化処理の動作例について図５を用いて説明する。図５は、加算更新処理および無料枠初期化処理の動作例を示す図である。なお、同図の（Ａ）には、加算更新処理の動作例を、同図の（Ｂ）には、加算更新後の表示例を、同図の（Ｃ）には、無料枠初期化処理の動作例を、それぞれ示している。また、同図の（Ａ）には、会員番号「１２３４５」、カードＩＤ「９９９９９９」のカード会員が１０００玉を貯玉する場合の動作例を示している。
【００９９】
ここで、同図の（Ａ）に示したように、貯玉情報２０３ａは、「会員番号」項目と、「カードＩＤ」項目と、貸出レートごとの「貯玉数」項目および「無料枠玉数」項目とを含んだ項目である。なお、同図の（Ａ）に示した貯玉情報２０３ａは、カード会員に対応する貯玉情報であり、携帯会員に対応する貯玉情報である場合には、「カードＩＤ」項目に替えて「携帯ＩＤ」項目が含まれることとなる。
【０１００】
「会員番号」項目は、各会員を識別する識別情報が格納される項目である。また、「カードＩＤ」項目は、会員カードの識別情報であるカードＩＤが格納される項目である。また、「貯玉数」項目は、現在遊技店へ預け入れられている遊技媒体の数が格納される項目である。
【０１０１】
また、「無料枠玉数」項目は、再プレイ手数料が課されない遊技媒体数が格納される項目である。なお、「無料枠玉数」項目は、遊技店が手数料無料サービスを実施する場合に所定の固定値が格納される項目でもある。
【０１０２】
同図の（Ａ）に示した場合、貯玉情報２０３ａは、カードＩＤ「９９９９９９」と、１円レートの貯玉数「４０００」および無料枠玉数「２０００」と、４円レートの貯玉数「１０００」および無料枠玉数「２５０」とが、会員番号「１２３４５」へ関連付けて記憶されている。
【０１０３】
なお、１円レートの「無料枠玉数」項目に格納されている「２０００」および４円レートの「無料枠玉数」項目に格納されている「２５０」は、それぞれ手数料無料サービスを実施するために遊技店側によって格納された固定値であるものとする。
【０１０４】
具体的には、遊技店の開店直後において、全ての会員の１円レートの「無料枠玉数」項目には「２０００」が、４円レートの「無料枠玉数」項目には「２５０」が、それぞれ格納された状態となっている。
【０１０５】
このような状況において、加算更新部２０２ａが、カードＩＤ「９９９９９９」および遊技媒体数「１０００」を含んだ貯玉指示を４円レートの台間装置１０ａから受け付けたとする。かかる場合、加算更新部２０２ａは、カードＩＤ「９９９９９９」へ関連付けられた４円レートの「貯玉数」項目および「無料枠玉数」項目の双方に対して１０００玉を加算する。
【０１０６】
また、加算更新部２０２ａは、加算更新処理を行うと、加算更新後の４円レートの貯玉数「２０００」および無料枠玉数「１２５０」を、貯玉指示に含まれる装置情報とともに表示指示部２０２ｃへ出力する処理を行う。
【０１０７】
そして、表示指示部２０２ｃは、加算更新部２０２ａから受け取った装置情報によって特定される４円レートの台間装置１０ａに対して、加算更新後の貯玉数および無料枠玉数を表示するよう指示する。
【０１０８】
この結果、台間装置１０ａの操作・表示部５４ａには、加算更新後の貯玉数および無料枠玉数が表示されることとなる。たとえば、同図の（Ｂ）には、「＜貯玉結果＞」として、４円レートの「４円口座」の「貯玉数」が「２０００玉」であり、「無料枠玉数」が「１２５０玉」である旨を表示した例を示している。
【０１０９】
また、同図の（Ｂ）に示すように、「４円口座」に下線を付したうえで、「再プレイ時には１２５０玉まで手数料が無料です」というガイダンス表示を行うなどすれば、複数レート運用においても、遊技客がレートごとの無料枠玉数を誤認識することを防止することができる。また、遊技を終えようとしている遊技客に対して、再プレイへの意欲を促すことができる。
【０１１０】
すなわち、無料枠玉数が存在すること、言い換えれば、手数料無料で再プレイができることを遊技客に対して明示することによって、遊技客が遊技を終えようとしている場合であっても、遊技の終了を思い止まらせることができる。したがって、遊技台の稼働率を高めることができる。
【０１１１】
なお、同図の（Ｂ）においては、４円レートの「４円口座」の貯玉結果のみを表示した場合について示しているが、１円レートの「１円口座」の貯玉に関する情報、たとえば、「貯玉数」および「無料枠玉数」などを、併せて表示することとしてもよい。
【０１１２】
また、同図の（Ｂ）に示したように、加算更新後の無料枠玉数を表示することで、遊技客が、当日獲得した持玉数と手数料無料サービスにより再プレイ手数料が課されない遊技媒体数とを区別して把握する必要がなくなるため、遊技客の利便性を向上させることができる。
【０１１３】
なお、ここでは、加算更新後の貯玉数および無料枠玉数を、台間装置１０ａの操作・表示部５４ａを用いて表示する場合について説明したが、これに限ったものではない。たとえば、台間装置１０ａは、加算更新後の無料枠玉数を図示しないスピーカから報知してもよい。
【０１１４】
また、台間装置１０ａは、加算更新後の無料枠玉数だけでなく、加算分の無料枠玉数も併せて報知することとしてもよい。なお、かかる場合には、加算更新部２０２ａが、加算更新後の無料枠玉数とともに、加算分の無料枠玉数を併せて表示指示部２０２ｃへ出力することとすればよい。
【０１１５】
ところで、貸出レートごとの「無料枠玉数」項目に格納された値は、所定のタイミングが到来すると、無料枠初期化処理部２０２ｄによってリセットされることとなる。具体的には、同図の（Ｃ）に示したように、無料枠初期化処理部２０２ｄは、閉店後に行われる閉店処理時あるいは翌営業日の開店前に行われる開店処理時に（同図の（Ｃ−１）参照）、貸し出しレートごとの無料枠玉数の初期化処理を行う（同図の（Ｃ−２）参照）。
【０１１６】
このように、閉店処理時あるいは開店処理時に初期化処理を行うことで、開店後の貸出レートごとの「無料枠玉数」項目には、手数料無料サービスの実施のためにあらかじめ設定された固定値に対して、当日分の貯玉数が上乗せされていくこととなる。
【０１１７】
また、無料枠初期化処理部２０２ｄは、無料枠玉数を「０」とするのではなく、手数料無料サービスの実施のために遊技店によってあらかじめ設定された固定値（ここでは、１円レート「２０００玉」および４円レート「２５０玉」）へリセットする（同図の（Ｃ−２）参照）。
【０１１８】
このように、無料枠初期化処理部２０２ｄは、所定のタイミングが到来した場合に、貯玉情報２０３ａに含まれる貸出レートごとの無料枠玉数を「０」ではなく固定値へリセットすることとしたので、１つの項目を用いて当日貯玉サービスおよび手数料無料サービスの両方を提供することができる。したがって、情報管理の煩雑化を抑制することができる。
【０１１９】
なお、遊技店が手数料無料サービスを実施していない場合には、無料枠玉数の初期値は、「０」となる（「０」が固定値となる）。したがって、かかる場合には、無料枠初期化処理部２０２ｄは、貸出レートごとの無料枠玉数を「０」へリセットすることとなる。
【０１２０】
つづいて、引き落とし部２０２ｂによる引き落とし処理について図６および図７を用いて説明する。図６は、引き落とし処理の動作例を示す図であり、図７は、引き落とし処理の表示例を示す図である。なお、かかる図６および図７を用いた説明では、主に遊技媒体貸出装置１０が台間装置１０ａである場合について説明する。
【０１２１】
また、図６および図７に付与した（Ａ−２）などの符号は、双方の図において関連している。したがって、たとえば、図６の（Ａ−２）で示した動作時の表示例は、図７の（Ａ−２）において示されているものとする。
【０１２２】
図６の（Ａ）には、再プレイにおいて他レートの無料枠を使用する引き落とし処理を、図６の（Ｂ）には、再プレイにおいて他レートの無料枠を使用しない引き落とし処理を、それぞれ示している。
【０１２３】
ここで、図６の（Ａ）に示したように、会員番号「１２３４５」に対応する貯玉情報２０３ａは、１円レートにおいては貯玉数「４０００」玉および無料枠玉数「２０００」玉を、４円レートにおいては貯玉数「２０００」玉および無料枠玉数「１２５０」玉を、それぞれ含んでいるものとする（図６の（Ａ−１）参照）。
【０１２４】
このような状況において、引き落とし部２０２ｂが、カードＩＤ「９９９９９９」を含んだ再プレイ指示を４円レートの台間装置１０ａから受け付けたものとする。かかる場合、引き落とし部２０２ｂは、カードＩＤ「９９９９９９」へ関連付けられた４円レートの「貯玉数」項目および「無料枠玉数」項目の双方から再プレイ媒体数（ここでは、２５０玉）を引き落とす（図６の（Ａ−２）参照）。すなわち、「無料枠玉数」が「０」になるまでは、再プレイ手数料が徴収されることなく、再プレイ媒体数（２５０玉）だけが引き落とされる。
【０１２５】
また、引き落とし部２０２ｂは、引き落とし処理を行った場合に、引き落とし後のレートごとの貯玉数および無料枠玉数を、再プレイ指示に含まれる装置情報とともに表示指示部２０２ｃへ出力する処理を行う。
【０１２６】
そして、表示指示部２０２ｃは、引き落とし部２０２ｂから受け取った装置情報によって特定される台間装置１０ａに対して、レートごとの引き落とし後の貯玉数および無料枠玉数を表示するように指示する。
【０１２７】
この結果、図７の（Ａ−２）に示すように、台間装置１０ａの操作・表示部５４ａには、レートごとの引き落とし後の貯玉数および無料枠玉数が表示される。たとえば、図７の（Ａ−２）には、下線を付した「４円口座」を引き落とし口座とした「＜再プレイ中＞」であり、「貯玉数」が「１７５０玉」であり、「無料枠」が「１０００玉」である旨を明示した例を示している。
【０１２８】
また、図７の（Ａ−２）に示すように、他レートの「貯玉数」および「無料枠」を表示することとしてもよい。このとき、再プレイの乗り入れを考慮して、他レートの「貯玉数」および「無料枠」を再プレイ中のレートへ換算することが好ましい。なぜなら、レートを統一して表示することで、遊技客の遊技媒体数の把握を助けることができるからである。
【０１２９】
たとえば、図７の（Ａ−２）には、「１円口座」の「貯玉数」および「無料枠」が、再プレイ中の４円レート換算で、それぞれ「１０００玉（＝４０００玉／４）」および「５００玉（＝２０００玉／４）」である旨を表示した例を示している。これにより、遊技客は、再プレイ中の４円レートへ１円レートから乗り入れた場合の遊技媒体数を容易に把握することができる。
【０１３０】
このように、表示指示部２０２ｃが、引き落とし後のレートごとの貯玉数および無料枠玉数を表示するように台間装置１０ａに対して指示することとした。したがって、遊技客に対して無料枠玉数がなくなるまで再プレイを続けようという意欲を起こさせることができ、結果として、遊技台の稼働率を向上させることができる。
【０１３１】
一方、図６の（Ａ−３）に示すように、カードＩＤ「９９９９９９」の遊技客が再プレイを続けた結果、無料枠玉数が「０」になったものとする。かかる場合に、表示指示部２０２ｃは、他レートの無料枠を使用するか否かの選択画面を台間装置１０ａの操作・表示部５４ａへ表示するように、台間装置１０ａに対して指示する。
【０１３２】
この結果、図７の（Ａ−３）に示すように、台間装置１０ａの操作・表示部５４ａには、他レートの無料枠を使用するか否かの選択画面が表示されることとなる。たとえば、図７の（Ａ−３）には、下線を付した「４円口座」の「無料枠」が「０玉」である旨を明示したうえで、「他口座の無料枠を使いますか？」のガイダンスメッセージとともに、「はい」および「いいえ」の選択ボタンを配置した選択画面の表示例を示している。
【０１３３】
ここで、遊技客が「はい」の選択ボタンを選択したうえで、再プレイ媒体数「２５０玉」を払い出した場合について、まず、図６の（Ａ−４）を参照して説明する。かかる場合、引き落とし部２０２ｂは、再プレイ中の４円レートとは異なるレートの１円口座から「貯玉数」および「無料枠玉数」を引き落とす。なお、図６の（Ａ−４）に示すように、引き落とし数は、４円レートにおける２５０玉を１円レートに換算した「１０００玉（＝２５０玉×４）」となる。
【０１３４】
そして、表示指示部２０２ｃは、引き落とし部２０２ｂからレートごとの引き落とし後の貯玉数および無料枠玉数の出力を受けて、かかる貯玉数および無料枠玉数を表示するように台間装置１０ａに対して指示する。
【０１３５】
そして、図７の（Ａ−４）に示すように、台間装置１０ａの操作・表示部５４ａには、レートごとの引き落とし後の貯玉数および無料枠玉数が表示される。たとえば、図７の（Ａ−４）には、「１円口座」の「無料枠」へ下線を付すことで、かかる「１円口座」の「無料枠」を使用中である旨を明示したうえで、かかる「１円口座」の「貯玉数」が「７５０玉（＝１０００玉−２５０玉）」であり、「無料枠」が「２５０玉（＝５００玉−２５０玉）」である旨を表示した例を示している。
【０１３６】
また、図７の（Ａ−４）に示すように、「あと２５０玉手数料が無料です」といったガイダンスメッセージを表示することで、遊技客が無料枠玉数の残数を正確に把握することを支援することができる。
【０１３７】
一方、上述の選択画面において、遊技客が「いいえ」の選択ボタンを選択したうえで、再プレイ媒体数「２５０玉」を払い出した場合について、図６の（Ｂ−２）を参照して説明する。なお、図６の（Ｂ−１）については、既に説明した同図の（Ａ−３）と同様であるため、ここでの説明を省略する。
【０１３８】
かかる場合、図６の（Ｂ−２）に示すように、引き落とし部２０２ｂは、再プレイ媒体数「２５０玉」および再プレイ手数料に相当する遊技媒体数「２５玉」を、再プレイ中の４円口座の「貯玉数」項目から引き落とす。
【０１３９】
そして、表示指示部２０２ｃは、引き落とし部２０２ｂからレートごとの引き落とし後の貯玉数および無料枠玉数の出力を受けて、かかる貯玉数および無料枠玉数を表示するように台間装置１０ａに対して指示する。
【０１４０】
そして、図７の（Ｂ−２）に示すように、台間装置１０ａの操作・表示部５４ａには、レートごとの引き落とし後の貯玉数および無料枠玉数が表示される。たとえば、図７の（Ｂ−２）には、「４円口座」へ下線を付すことで、かかる「４円口座」を用いた再プレイ中である旨を明示したうえで、かかる「４円口座」の「貯玉数」が「４７５玉（＝７５０玉−２５０玉−２５玉）」であり、「無料枠」が「０玉」である旨を表示した例を示している。
【０１４１】
そして、図７の（Ｂ−２）では、「払い出し１回につき手数料２５玉をいただいております」とのガイダンスメッセージを併せて表示することによって、再プレイ手数料が課されている旨を遊技客へ明示している。このように、再プレイ手数料の徴収を具体的な数値（ここでは、「２５玉」）を挙げて表示することで、手数料について遊技客が誤認識することを防止することができる。
【０１４２】
なお、上述した図６および図７を用いた説明では、再プレイ中のレートの無料枠玉数が「０」となった場合に、他レートの無料枠を使用することができる場合について説明したが、既定の運用として、他レートの無料枠を使用不可とすることもできる。
【０１４３】
かかる場合には、再プレイ中のレートの無料枠玉数が「０」となった場合の「他レートの無料枠を使用するか否かの選択画面」（図７の（Ａ−３）ｏｒ（Ｂ−１）参照）を非表示としたうえで、自動的に、引き落とし部２０２ｂが、他レートの無料枠を使用しない引き落とし処理を行うこととすればよい（図６の（Ｂ）参照）。
【０１４４】
また、上述した図６および図７を用いた説明では、台間装置１０ａの操作・表示部５４ａへ「無料枠玉数」の残数を表示する例を示したが、台間装置１０ａの状態表示部５１ａを用いて「無料枠玉数」の残数を報知することとしてもよい。
【０１４５】
たとえば、「無料枠玉数」の残数が「０」であるか否かによって状態表示部５１ａのランプの色を分けたうえで、点灯あるいは点滅させることとしてもよい。また、「無料枠玉数」の残数に応じて状態表示部５１ａのランプの色を変化させるとともに、かかる残数が「０」へ近づくにつれてランプを点滅させたり、点滅速度を変化させたりしてもよい。このように、状態表示部５１ａを用いて「無料枠玉数」に関する情報を報知すれば、遊技客本人だけでなく、周囲の店員も状況を確認することができる。
【０１４６】
ところで、これまでは、貯玉指示に含まれる遊技媒体数と同じ数を「無料枠玉数」項目へ加算する場合について説明してきたが、「無料枠玉数」項目へ加算する遊技媒体数は、貯玉指示に含まれる遊技媒体数と異ならせてもよい。
【０１４７】
以下、かかる点について図８を用いて説明する。図８は、無料枠玉数に対する遊技媒体数の加算率の一例を示す図である。ここで、加算率とは、貯玉指示に含まれる遊技媒体数を１００％とした場合における「無料枠玉数」へ加算される遊技媒体数の割合を示している。なお、同図の（Ａ）には、各会員に起因する条件と加算率との関係を、同図の（Ｂ）には、その他の条件と加算率との関係を、それぞれ示している。
【０１４８】
同図の（Ａ）に示したように、加算更新部２０２ａは、貯玉行為を行う会員ごとに「無料枠玉数」項目への遊技媒体数の加算率を異ならせてもよい。たとえば、携帯会員をより多く募りたい場合には、携帯会員に対する加算率を１００％とし、カード会員に対する加算率を５０％とすることで、携帯会員を優遇させることができる。
【０１４９】
具体的には、加算更新部２０２ａは、貯玉指示に対して「携帯ＩＤ」が含まれている場合には、会員種別を携帯会員と判定し、携帯会員に対応する加算率「１００％」で無料枠玉数を加算更新する。たとえば、加算更新部２０２ａは、携帯会員によって２０００玉が貯玉されたならば、２０００玉を無料枠玉数へ加算する。
【０１５０】
一方、加算更新部２０２ａは、貯玉指示に対して「カードＩＤ」が含まれている場合には、会員種別をカード会員と判定し、カード会員に対応する加算率「５０％」で無料枠玉数を加算更新する。たとえば、加算更新部２０２ａは、カード会員によって２０００玉が貯玉されたならば、その半分の１０００玉のみを無料枠玉数へ加算する。
【０１５１】
このように、貯玉指示に含まれる遊技媒体数に対して会員の種別に対応した乗数を乗じた値を無料枠玉数へ加算することとすれば、遊技店側の運用に合わせて特定の種別の会員を優遇させることができる。
【０１５２】
また、加算更新部２０２ａは、遊技店への来店数が多い会員ほど加算率を高くしてもよい。たとえば、同図の（Ａ）に示したように、加算更新部２０２ａは、来店数が１００回以上の会員については加算率を１００％とし、来店数が５０回以上の会員については加算率を６０％とすることができる。
【０１５３】
なお、かかる場合には、貯玉情報２０３ａが、各会員の来店回数を会員番号と関連付けて記憶することとすればよい。来店回数は、たとえば、会員のカードＩＤあるいは携帯ＩＤを読み取った台間装置１０ａあるいは再プレイ機１０ｂによって管理装置２００へ通知され、１日１回を限度として対応する貯玉情報２０３ａへ加算されるものとする。
【０１５４】
また、表示指示部２０２ｃは、加算更新部２０２ａによる更新後の無料枠玉数を台間装置１０ａへ表示させるにあたって、上述した条件と加算率とに応じて表示内容を変えることとしてもよい。
【０１５５】
たとえば、同図の（Ａ）に示したように、「来店数が１００回以上」の会員（同図の（Ａ）の破線の閉曲線で囲まれた部分参照）が３０００玉の貯玉指示を行った場合には、台間装置１０ａの操作・表示部５４ａに対して「優良会員のあなたは再プレイ時には３０００玉の手数料が無料です」といったガイダンスメッセージを表示してもよい。
【０１５６】
かかる場合、会員は、自身が会員の中でも優遇されていることを知ることができるので、会員の来店頻度を増加させるきっかけとすることができる。また、遊技店は、かかる会員への優遇度をアピールすることで、稼働率の向上を図ることができる。
【０１５７】
また、同図の（Ｂ）に示したように、加算更新部２０２ａは、その他の条件に応じて加算率を変化させてもよい。
【０１５８】
たとえば、加算更新部２０２ａは、貯玉行為が行われた場所に応じて加算率を変化させてもよい。具体的には、加算更新部２０２ａは、会員が台間装置１０ａを用いて貯玉行為を行った場合の加算率を１００％とし、島端計数機（図示せず）を用いて貯玉行為を行った場合の加算率を５０％とするといったこともできる。なお、加算更新部２０２ａは、貯玉指示を台間装置１０ａから受け付けた場合に加算率を１００％とし、島端計数機（図示せず）から受け付けた場合に加算率を５０％とする。
【０１５９】
また、加算更新部２０２ａは、時間帯に応じて加算率を変化させてもよい。たとえば、加算更新部２０２ａは、午前中の加算率を１００％とし、午後の加算率を８０％とすることもできる。また、加算更新部２０２ａは、曜日に応じて加算率を変化させてもよい。たとえば、加算更新部２０２ａは、平日（月〜金）の加算率を１００％とし、休日（土・日）の加算率を５０％とすることもできる。また、加算更新部２０２ａは、イベントの有無によって加算率を変化させてもよい。たとえば、加算更新部２０２ａは、イベント期間中の加算率を１００％とし、イベントが行われていない場合の加算率を０％とすることもできる。
【０１６０】
また、加算更新部２０２ａは、貸出レートに応じて加算率を変化させてもよい。たとえば、加算更新部２０２ａは、１円コーナー３００ｂに設置された台間装置１０ａまたは島端計数機（図示せず）から貯玉指示を受け付けた場合には加算率を１００％とし、４円コーナー３００ａに設置された台間装置１０ａまたは島端計数機（図示せず）から貯玉指示を受け付けた場合には加算率を５０％とすることもできる。
【０１６１】
このように、貯玉指示に含まれる遊技媒体数の全てを貯玉数へ加算するとともに、貯玉指示に含まれる遊技媒体数に対して所定の乗数を乗じた値を無料枠玉数へ加算することとした。したがって、無料枠玉数へ加算する遊技媒体数を遊技店側の運用に合わせて変化させることができる。
【０１６２】
なお、同図の（Ｂ）に示した場合にも、表示指示部２０２ｃは、加算更新部２０２ａによる更新後の無料枠玉数を台間装置１０ａへ表示させるにあたって、条件と加算率とに応じて表示内容を変えることができる。
【０１６３】
たとえば、同図の（Ｂ）に示したように、イベント開催中（同図の（Ｂ）の破線の閉曲線で囲まれた部分参照）に会員が３０００玉の貯玉指示を行った場合には、台間装置１０ａの操作・表示部５４ａに対して「イベント大サービス！再プレイ時には３０００玉の手数料が無料です」といったガイダンスメッセージを表示してもよい。
【０１６４】
かかる場合、会員は、イベント開催中であることを明確に把握することができるので、再プレイを行うきっかけとすることができる。また、遊技店は、かかる会員が再プレイを重ねることで、稼働率の向上を図ることができる。
【０１６５】
ところで、遊技店に１円コーナー３００ｂや４円コーナー３００ａのように貸出レートが異なるコーナーが複数存在する複数レート運用においては、記憶部２０３は、貸出レートごとの貯玉情報２０３ａを記憶することとなる点については既に述べた。
【０１６６】
そして、かかる場合に、加算更新部２０２ａは、対応する貸出レート以外の貸出レートに対して無料枠玉数を加算する異レート間加算処理を行ってもよい。かかる点について、以下、図９を用いて説明する。図９は、異レート間加算処理の動作例を示す図である。
【０１６７】
同図の（Ａ−１）に示すように、１円コーナー３００ｂに設置された台間装置１０ａから２０００玉の貯玉指示がなされたものとする。なお、貯玉指示には、台間装置１０ａが所属する貸出レート（以下、「所属貸出レート」と記載する）に関する情報が含まれているものとする。
【０１６８】
かかる場合、加算更新部２０２ａは、貯玉指示に含まれる所属貸出レートに関する情報によって所属貸出レートが１円レートであることを特定すると、１円レートに対応する「貯玉数」項目および「無料枠玉数」項目の双方に対し、貯玉指示に含まれる遊技媒体数「２０００」玉を加算する。なお、図８を用いて説明したように、加算更新部２０２ａは、「無料枠玉数」項目への加算率を各種の条件に応じて変化させてもよい。
【０１６９】
つづいて、加算更新部２０２ａは、所属貸出レートとは異なる貸出レートである４円レートに対応する「無料枠玉数」項目への加算処理、すなわち、異レート間加算処理を行う（図９の（Ａ−２）参照）。
【０１７０】
具体的には、加算更新部２０２ａは、所属貸出レートに対応する「無料枠玉数」項目への加算数を異レート間加算処理の対象となる貸出レートへ換算した値に対してさらに所定の乗数を乗じた値を異レートに対応する「無料枠玉数」項目への加算数とする。
【０１７１】
たとえば、同図に示した場合には、所属貸出レートである１円レートに対応する「無料枠玉数」項目への加算数「２０００」玉を異レートである４円レートへ換算した値「５００」玉を算出する。そして、加算更新部２０２ａは、換算値「５００」玉に対してさらに所定の乗数（ここでは、「０．２」）を乗じた値「１００」を４円レートに対応する「無料枠玉数」項目への加算数とする。
【０１７２】
そして、かかる場合、表示指示部２０２ｃは、加算更新部２０２ａによる更新後の無料枠玉数を台間装置１０ａへ表示させるにあたって、上述した異レート間加算処理を行った旨を併せて明示することができる。
【０１７３】
たとえば、同図の（Ｂ）に示したように、台間装置１０ａの操作・表示部５４ａに対して「他口座の無料枠へ加算サービス！どうぞご利用ください」といったガイダンスメッセージを表示することとしてもよい。また、同図の（Ｂ）に示したように、「４円口座」の「無料枠へ１００玉プラス」したことを、下線を付すなどして強調し、会員の再プレイの乗り入れへの意欲を促進させることとしてもよい。
【０１７４】
このように、加算更新部２０２ａが、貯玉指示を受け付けた場合に、所属貸出レートに対応する貯玉情報２０３ａの貯玉数および無料枠玉数の双方を加算更新するとともに、所属貸出レート以外の貸出レートに対応する貯玉情報の無料枠玉数を貸出レートに基づいて加算更新することとしたため、会員に対してより一層のお得感を与えることができる。
【０１７５】
なお、高レートの貸出レートに対して異レート間加算処理を行う場合には、低レートの貸出レートに対して異レート間加算処理を行う場合と比較して、所定の乗数を大きくしてもよい。これにより、普段は低レートの貸出レートでしか遊技を行わない会員に対して、よりギャンブル性が高く遊技店側への利益が大きい高レートの貸出レートでの遊技に興味を持たせ易くすることができる。
【０１７６】
ところで、図９を用いた説明では、対応する貸出レート以外の貸出レートに対して無料枠玉数を所定の乗数を用いて加算する異レート間加算処理について説明したが、遊技客自身が無料枠玉数を異レート間にわたって配分することとしてもよい。
【０１７７】
かかる点について、以下、図１０を用いて説明する。図１０は、異レート間配分処理の動作例を示す図である。なお、同図の（Ａ）には、異レート間配分処理の動作例を、同図の（Ｂ）には、異レート間配分処理の操作例を、それぞれ示している。
【０１７８】
同図の（Ａ−１）に示すように、１円コーナー３００ｂに設置された台間装置１０ａから２０００玉の貯玉指示がなされたものとする。なお、貯玉指示には、無料枠の配分指定値が含まれており、２０００玉のうち、１円口座へ「１５００玉」を、４円口座へ「５００玉」を、それぞれ配分する指定値であるものとする。
【０１７９】
かかる場合、加算更新部２０２ａは、貯玉指示に含まれる所属貸出レートに関する情報によって所属貸出レートが１円レートであることを特定すると、１円レートに対応する「貯玉数」項目および「無料枠玉数」項目の双方に対し、貯玉指示に含まれる配分指定値「１５００」玉を加算する。
【０１８０】
つづいて、加算更新部２０２ａは、所属貸出レートとは異なる貸出レートである４円レートに対応する「無料枠玉数」項目へ、貯玉指示に含まれる配分指定値「５００」玉を４円レートで換算して（ここでは、「１２５（＝５００／４）」を）加算する（同図の（Ａ−２）参照）。
【０１８１】
ここで、かかる異レート間配分処理における配分指定の操作例について、具体的に説明する。たとえば、同図の（Ａ−１）に示したのと同様に、１円コーナー３００ｂにおいて２０００玉の貯玉指示がなされたものとする。
【０１８２】
そして、同図の（Ｂ）に示したように、異レート間配分処理においては、操作・表示部５４ａへ「＜無料枠の配分＞」画面を表示することができる。たとえば、同図の（Ｂ）には、本来「１円口座」の無料枠である「２０００玉」の配分について、「他口座の無料枠へ配分しますか？」といったガイダンスとともに「はい」または「いいえ」の選択によって指定させる画面の表示例を示している。
【０１８３】
まず、同図の（Ｂ−ａ）に示したように、遊技客が「はい」を選択したものとする。かかる場合には、つづいて具体的な配分指定画面が表示される。たとえば、同図の（Ｂ−ａ１）には、レートごとの配分指定値を玉数で入力する配分指定画面の例を示している。なお、配分指定値は玉数でなく、比率などで入力させることとしてもよい。
【０１８４】
ここで、同図の（Ｂ−ａ１）に示したように、遊技客が、１円口座へ「１５００」玉、４円口座へ「５００」玉の配分指定値をそれぞれ入力したうえで「決定」ボタンを押下すると、同図の（Ｂ−ａ２）に示したような「＜貯玉結果＞」画面が表示されることとなる。
【０１８５】
そして、かかる「＜貯玉結果＞」画面には、「他口座の無料枠へ配分しました。どうぞご利用ください」といったガイダンスメッセージを表示することができる。また、「４円口座」の「無料枠へ５００玉プラス」したことを下線で強調して表示するなどすれば、遊技客の再プレイの乗り入れへの意欲を促進させることができる（同図の（Ｂ−ａ２）参照）。
【０１８６】
なお、同図の（Ｂ−ｂ）に示したように、「＜無料枠の配分画面＞」において遊技客が「いいえ」を選択した場合については、図５の（Ｂ）を用いて既に説明したのと同様に、通常の「＜貯玉結果＞」画面を表示することとすればよい（図１０の（Ｂ−ｂ１）参照）。
【０１８７】
ところで、これまでは、記憶部２０３が、無料枠玉数を貸出レートごとに管理する場合について説明してきたが、これに限ったものではなく、各貸出レートに共通の「共通無料枠玉数」項目を設けることとしてもよい。以下、かかる点について説明しておく。図１１は、共通無料枠を用いた場合の動作例を示す図である。なお、「共通無料枠玉数」は、１円レートを基準とした項目であるものとする。
【０１８８】
同図に示すように、記憶部２０３は、各貸出レートに共通する無料枠玉数である「共通無料枠玉数」項目を各貸出レートの貯玉数と関連付けて記憶している。なお、同図には示していないが、「共通無料枠玉数」項目は、会員の識別情報とも関連付けられている。
【０１８９】
同図の（１）に示すように、会員が４円コーナー３００ａで８００玉を貯玉すると、加算更新部２０２ａは、４円口座の「貯玉数」項目に対して「８００」玉を加算する。また、加算更新部２０２ａは、４円レートにおける「８００」玉を１円レートへ換算した値「３２００（＝８００×４）」玉を算出して「共通無料枠玉数」項目に対して加算する。
【０１９０】
そして、同図の（１）に示したように、操作・表示部５４ａには、加算更新後の貯玉数および無料枠玉数が表示される。たとえば、同図の（１）には、「＜貯玉結果＞」として、４円レートの「４円口座」の「貯玉数」が「１８００玉」であり、「無料枠玉数」が４円レート換算で「１５５０玉（＝６２００玉／４）」である旨を表示した例を示している。
【０１９１】
つづいて、同図の（２）に示すように、会員が４円コーナー３００ａで合計５００玉を再プレイしたとすると、引き落とし部２０２ｂは、４円口座の「貯玉数」項目から合計５００玉を引き落とす。また、引き落とし部２０２ｂは、４円レートにおける「５００」玉を１円レートへ換算した値「２０００（＝５００×４）」玉を算出して「共通無料枠玉数」項目から引き落とす。
【０１９２】
かかる場合、同図の（２）に示すように、操作・表示部５４ａには、引き落とし後の貯玉数および無料枠玉数が表示される。たとえば、同図の（２）には、下線を付した「４円口座」を引き落とし口座とした「＜再プレイ中＞」であり、「貯玉数」が「１３００玉」であり、「無料枠」が４円レート換算で「１０５０玉（＝４２００玉／４）」である旨を明示した例を示している。
【０１９３】
また、同図の（２）に示すように、他レートの「貯玉数」を表示することとしてもよい。たとえば、同図の（２）には、「１円口座」の「貯玉数」が、再プレイ中の４円レート換算で「１２５０玉（＝５０００玉／４）」である旨を併せて表示した例を示している。なお、「１円口座」の「無料枠」については、「４円口座」の「無料枠」と共通であるため、明示しなくともよい。
【０１９４】
一方、同図の（３）に示すように、会員が１円コーナー３００ｂで合計２４００玉を再プレイしたとすると、引き落とし部２０２ｂは、１円口座の「貯玉数」項目および「共通無料枠玉数」項目の双方から合計２４００玉を引き落とす。
【０１９５】
かかる場合、同図の（３）に示すように、操作・表示部５４ａには、引き落とし後の貯玉数および無料枠玉数が表示される。たとえば、同図の（３）には、下線を付した「１円口座」を引き落とし口座とした「＜再プレイ中＞」であり、「貯玉数」が「２６００玉」であり、「無料枠」が１円レート換算で「１８００玉（＝１８００玉／１）」である旨を明示した例を示している。
【０１９６】
また、同図の（３）には、「４円口座」の「貯玉数」が、再プレイ中の１円レート換算で「５２００玉（＝１３００玉×４）」である旨を併せて表示した例を示している。
【０１９７】
次に、管理装置２００が実行する処理手順について図１２を用いて説明する。図１２は、本実施例に係る管理装置２００の処理手順を示すフローチャートである。なお、同図においては、加算更新部２０２ａによる加算更新処理、引き落とし部２０２ｂによる引き落とし処理および表示指示部２０２ｃによる表示指示処理の処理手順についてのみ示している。
【０１９８】
同図に示すように、管理装置２００では、加算更新部２０２ａが、貯玉指示を受け付けたか否かを判定し（ステップＳ１０１）、貯玉指示を受け付けた場合には（ステップＳ１０１、Ｙｅｓ）、貯玉指示に含まれる遊技媒体数を該当レート口座の「貯玉数」項目および「無料枠玉数」項目へ加算する（ステップＳ１０２）。そして、表示指示部２０２ｃが、台間装置１０ａに対して貯玉結果の表示指示を行う（ステップＳ１０３）。
【０１９９】
ステップＳ１０３の処理を終えた場合、あるいは、ステップＳ１０１において貯玉指示を受け付けていない場合（ステップＳ１０１、Ｎｏ）、引き落とし部２０２ｂは、再プレイ指示を受け付けたか否かを判定する（ステップＳ１０４）。そして、引き落とし部２０２ｂは、再プレイ指示を受け付けた場合には（ステップＳ１０４、Ｙｅｓ）、さらに、「無料枠玉数」項目が０でないか否かを判定する（ステップＳ１０５）。
【０２００】
かかる処理において、「無料枠玉数」項目が０でないと判定した場合（ステップＳ１０５、Ｙｅｓ）、引き落とし部２０２ｂは、該当レート口座の「貯玉数」項目および「無料枠玉数」項目から再プレイ媒体数を引き落とす（ステップＳ１０６）。
【０２０１】
一方、「無料枠玉数」項目が０である場合（ステップＳ１０５、Ｎｏ）、引き落とし部２０２ｂは、他レート口座の無料枠について使用指示を受け付けたか否かを判定する（ステップＳ１０７）。ここで、かかる使用指示を受け付けた場合には（ステップＳ１０７，Ｙｅｓ）、引き落とし部２０２ｂは、他レート口座の「貯玉数」項目および「無料枠玉数」項目から再プレイ媒体数を引き落とす（ステップＳ１０８）。
【０２０２】
また、ステップＳ１０７の判定条件を満たさなかった場合には（ステップＳ１０７，Ｎｏ）、引き落とし部２０２ｂは、該当レート口座の「貯玉数」項目から再プレイ媒体数および手数料分の媒体数を引き落とす（ステップＳ１０９）。
【０２０３】
そして、ステップＳ１０６，Ｓ１０８，Ｓ１０９の処理を終えた場合、表示指示部２０２ｃは、台間装置１０ａに対して引き落とし後の「貯玉数」および「無料枠玉数」の表示指示を行う（ステップＳ１１０）。
【０２０４】
そして、ステップＳ１１０の処理を終えた場合、あるいは、ステップＳ１０４の判定条件を満たさなかった場合（ステップＳ１０４、Ｎｏ）、制御部２０２は、加算更新処理、引き落とし処理、および表示指示処理を終了する。
【０２０５】
上述してきたように、本実施例では、記憶部が、再プレイ手数料が課されない遊技媒体数を示す数である無料枠玉数を会員の識別情報および貯玉数と関連付けた貯玉情報を貸出レートごとに記憶し、加算更新部が、会員による貯玉指示を受け付けた場合に、会員の識別情報と関連付けられた貯玉数および無料枠玉数の双方を加算更新し、引き落とし部が、会員による再プレイ指示を受け付けた場合に、会員の識別情報と関連付けられた貯玉数および無料枠玉数に基づいて再プレイに係る遊技媒体数の引き落とし処理を実行するように遊技媒体管理装置を構成した。
【０２０６】
併せて、表示指示部が、加算更新部または引き落とし部によって無料枠玉数を含む貯玉情報が更新された場合に、会員による貯玉指示あるいは再プレイ指示を受け付けた遊技媒体貸出装置に対して、遊技媒体貸出装置の所属貸出レートに対応する貯玉情報および異レートに対応する貯玉情報を報知するよう指示するように遊技媒体管理装置を構成した。したがって、複数レート運用における再プレイを行う場合であっても、遊技客が手数料について誤認識する機会を防止しつつ、遊技媒体の貸し出しを行うことができる。
【０２０７】
ところで、上述した実施例では、遊技媒体貸出装置が備える操作・表示部などに貯玉数や無料枠玉数などを報知する場合について主に説明したが、管理装置が備えるディスプレイなどの表示部に対してかかる貯玉数や無料枠玉数を含めた遊技状況を表示してもよい。
【０２０８】
具体的には、管理装置が備える表示部に対して遊技店のホールレイアウトを含むホールマップを表示することとしたうえで、各遊技台（台間装置）の遊技状況を明示することができる。ここで、かかる遊技状況には、遊技中の遊技客が会員であるか否か、自レートの無料枠玉数の存否、また、自レートの無料枠玉数がない場合の他レートの無料枠玉数の存否、といった情報を含むことができるものとする。
【０２０９】
これにより、遊技客だけではなく、遊技店のスタッフが各遊技台（台間装置）の遊技状況を把握することができるので、遊技客から無料枠などに関する問い合わせなどがあった場合に、かかる問い合わせに対して迅速にレスポンスを返すことが可能となる。
【０２１０】
また、上述した実施例では、自レートの無料枠玉数が０となるタイミングで、他レートの貯玉や無料枠への乗り入れが可能となる場合について説明したが、たとえば、自レートの貯玉数が０となるタイミングで他レートの貯玉や無料枠への乗り入れが可能となるようにしてもよい。
【０２１１】
また、自レートの貯玉数が再プレイ可能な最小玉数を下回った場合にかかる乗り入れが可能となるようにしてもよい。ここで、再プレイ可能な最小玉数は、たとえば、払い出し１回分の払出単位を「２５０玉」、払い出し１回分の再プレイ手数料を「２５玉」とした場合には、「２７５玉＝（２５０玉＋２５玉）」と定めることができる。
【０２１２】
なお、このように乗り入れ可能なタイミングを自レートの貯玉数に対応させることによって、遊技客に自レートの貯玉の利用を優先させ、他レートの貯玉からの乗り入れをあくまで補助的な取り扱いとするような運用を行うことができる。
【０２１３】
また、上述した実施例では、遊技店が、いわゆる再プレイの乗り入れを可能とする運用を行っている場合について説明してきたが、かかる乗り入れをホール単位やコーナー単位で禁止している場合に本発明を適用することとしてもよい。
【０２１４】
すなわち、乗り入れ禁止設定が行われている台間装置などであっても、自レートだけでなく他レートの貯玉数や無料枠玉数などを報知することで遊技客の遊技意欲を促進させ、自レートの貯玉を使い切った遊技客を退店させることなく他レートのコーナーへ誘導することが可能となる。
【産業上の利用可能性】
【０２１５】
以上のように、複数レート運用における再プレイを行う場合であっても、遊技客が手数料について誤認識する機会を防止しつつ、遊技媒体の貸し出しを行いたい場合に有用であり、特に、遊技客の利便性を向上させることで売上および稼働率の向上を企図する遊技店の遊技システムへの適用に適している。
【符号の説明】
【０２１６】
１０    遊技媒体貸出装置
１０ａ  台間装置
１０ｂ  再プレイ機
１１    通信インタフェース
１２    計数部
１３    操作・表示部
１４    制御部
１４ａ  貯玉指示部
１４ｂ  再プレイ指示部
１４ｃ  表示処理部
１５    記憶部
１５ａ  持玉価値
２０    店舗内ＬＡＮ
５１ａ  状態表示部
５２ａ  紙幣挿入部
５３ａ  リモコン受光部
５４ａ  操作・表示部
５５ａ  払出部
５６ａ  リーダライタ部
５７ａ  カード挿入部
５８ａ  計数部
５４ｂ  操作・表示部
５５ｂ  払出部
５６ｂ  リーダライタ部
５７ｂ  カード挿入部
５９ｂ  受け台
１００    遊技台
２００    管理装置
２０１    通信インタフェース
２０２    制御部
２０２ａ  加算更新部
２０２ｂ  引き落とし部
２０２ｃ  表示指示部
２０２ｄ  無料枠初期化部
２０３    記憶部
２０３ａ  貯玉情報
２１０    貯玉ＤＢ
２１０ａ  ４円貯玉ＤＢ
２１０ｂ  １円貯玉ＤＢ
３００    島コントローラ
３００ａ  ４円コーナー
３００ｂ  １円コーナー
４００    精算機
５００    景品管理機
６００    カード処理機
７００    景品払出機
【図１】
2012040208.tif 000003
【図２】
2012040208.tif 000004
【図３】
2012040208.tif 000005
【図４】
2012040208.tif 000006
【図５】
2012040208.tif 000007
【図６】
2012040208.tif 000008
【図７】
2012040208.tif 000009
【図８】
2012040208.tif 000010
【図９】
2012040208.tif 000011
【図１０】
2012040208.tif 000012
【図１１】
2012040208.tif 000013
【図１２】
2012040208.tif 000014